(57)【要約】【課題】  本発明は、ピットに敷設されたケーブルを容易に引き上げることができるケーブルの引上げ装置を提供することを課題とする。【解決手段】  上部が開口されたピットＰに収容されるケーブルＣ，…をピットＰの下面Ｐｕから引き上げる引上げ手段２と、ケーブルＣ，…の中途部をピットＰの下面Ｐｕから離間して支持する支持手段３と、を備えることを特徴とする。【選択図】  図５
2012239328.tif 000002
【特許請求の範囲】
【請求項１】
上部が開口されたピットに収容されるケーブルをピットの下面から引き上げる引上げ手段と、ケーブルの中途部をピットの下面から離間して支持する支持手段と、を備えることを特徴とするケーブルの引上げ装置。
【請求項２】
ピットの下面からケーブルを引上げる方向に引上げ手段を案内する案内部と、該案内部に案内されて引き上げられる引上げ手段をピットの下面から所定高さで保持する保持部と、を有する保持手段を備える請求項１に記載のケーブルの引上げ装置。
【請求項３】
上部が開口されたピットに収容されるケーブルをピットの下面から引き上げる引上げ手段と、該引上げ手段をピットの下面からケーブルを引上げる方向に案内する案内部及び該案内部に案内されて引き上げられる引上げ手段をピットの下面から所定高さで保持する保持部を有する保持手段と、を備えることを特徴とするケーブルの引上げ装置。
【請求項４】
前記引上げ手段は、ケーブルを支持する支持部と、該支持部に支持されるケーブルの幅方向の両側に設けられ、保持手段の案内部に案内されてピットの下面からケーブルを集束させたまま支持部を引き上げる引上げ部と、を備え、前記保持手段は、引上げ部を所定の高さで引上げ部の支持部側の端部を載置可能な載置部を備え、該載置部に載置させた引上げ部の端部を支点にケーブルの敷設方向に傾動させてケーブルの集束を解くことが可能である請求項２又は３に記載のケーブルの引上げ装置。
【発明の詳細な説明】
【技術分野】
【０００１】
本発明は、上部が開口されたピットに収容されるケーブルを引き上げるためのケーブルの引上げ装置に関する。
【背景技術】
【０００２】
一般に、電力や通信等の施設には、多数のケーブルが用いられている。これらのケーブルは、上部を開口させて溝状に形成されたピットに収容されている。一般的に、ケーブルは、ピット内の幅方向に並列に敷設され、敷設するスペースが幅方向に確保できない場合には、既に敷設されたケーブルの上に積み重ねて敷設される。
【０００３】
このように敷設されたケーブルを撤去又は点検等する際、そのケーブルは、必ずピットの上部から識別できる範囲に敷設されているとは限られない。すなわち、そのケーブルは、他のケーブルの下敷きになって、ピットの上部からでは識別できないときがある。このようなときは、幾層にも積み重ねられたケーブルの中から目的のケーブルを掻き分けてピットから引き出すか、特許文献１に記載されるようなケーブル保持具を用いて多数のケーブルを一度に持ち上げて、その持ち上げられたケーブルの中から目的のケーブルを引き出すことになる。
【０００４】
特許文献１に記載されたケーブル保持具は、ピットの開口部の両側に跨って配置されるコの字状の支持枠を有する枠体と、その支持枠にその両端を取り付け可能な長尺状の紐部材と、を備える。ケーブル保持具は、ピットに収容されるケーブルの下面側に紐部材を通し、該紐部材の両端をピットから引き上げて支持枠に支持することにより、一度に多数のケーブルをピットから引き上げ、更にその位置に保持することができる。
【先行技術文献】
【特許文献】
【０００５】
【特許文献１】特開平１０−３２２８３１号公報
【発明の概要】
【発明が解決しようとする課題】
【０００６】
しかし、ケーブルの両端が設備に施設されるなどして固定され、直線状のピットに設けられることにより、ピットに敷設されるケーブルに殆ど余長がない場合がある。このような余長のないケーブルは、ピットから引き上げる際に張力がかかるため、容易に引き上げることができない。すなわち、無理に引き上げようとするとケーブルが損傷する恐れがあるため、特許文献１に記載されたケーブル保持具は、安易に使用できない。
【０００７】
よって、本発明は、かかる事情に鑑み、ピットに敷設されたケーブルを容易に引き上げることができるケーブルの引上げ装置を提供することを課題とする。
【課題を解決するための手段】
【０００８】
本発明に係るケーブルの引上げ装置は、上部が開口されたピットに収容されるケーブルをピットの下面から引き上げる引上げ手段と、ケーブルの中途部をピットの下面から離間して支持する支持手段と、を備えることを特徴とする。
【０００９】
かかる構成によれば、ケーブルは、支持手段に支持されながらピット内に敷設される。支持手段で支持されるケーブルの被支持部は、ピットの下面に敷き詰められ、又は、他のケーブルに積み重ねられた（ピットの下面に略相当する）高さから、それぞれ上方に離間して支持される。このケーブルの被支持部の両側には、そのケーブルの自重により被支持部を起点にピットの下面側に弛んだ状態で敷設されるケーブルの余長部が形成される。すなわち、ピットに敷設されるケーブルには、余長ができる。よって、この余長ができたケーブルの余長部を引上げ手段で引き上げることにより、ピットに敷設されたケーブルに張力をかけることなく、容易に引き上げることができる。
【００１０】
また、本発明によれば、ピットの下面からケーブルを引上げる方向に引上げ手段を案内する案内部と、該案内部に案内されて引き上げられる引上げ手段をピットの下面から所定高さで保持する保持部と、を有する保持手段を備えることが好ましい。
【００１１】
かかる構成によれば、ケーブルの余長部を引上げ手段で引き上げる際、引上げ手段は、案内部により引上げ方向から逸れることなく容易に引き上げられる。引上げ手段は、保持部で所定の高さに保持される。このようにして、引上げ手段は、引き上げたケーブルを容易に所定の高さに保持させることができる。
【００１２】
また、本発明に係るケーブルの引上げ装置は、上部が開口されたピットに収容されるケーブルをピットの下面から引き上げる引上げ手段と、該引上げ手段をピットの下面からケーブルを引上げる方向に案内する案内部及び該案内部に案内されて引き上げられる引上げ手段をピットの下面から所定高さで保持する保持部を有する保持手段と、を備えることを特徴とする。
【００１３】
かかる構成によれば、ケーブルの余長部を引上げ手段で引き上げる際、引上げ手段は、案内部により引上げ方向から逸れることなく容易に引き上げられる。引上げ手段は、保持部で所定の高さに保持される。このようにして、引上げ手段は、引き上げたケーブルを容易に所定の高さに保持させることができる。
【００１４】
また、本発明によれば、前記引上げ手段は、ケーブルを支持する支持部と、該支持部に支持されるケーブルの幅方向の両側に設けられ、保持手段の案内部に案内されてピットの下面からケーブルを集束させたまま支持部を引き上げる引上げ部と、を備え、前記保持手段は、引上げ部を所定の高さで引上げ部の支持部側の端部を載置可能な載置部を備え、該載置部に載置させた引上げ部の端部を支点にケーブルの敷設方向に傾動させてケーブルの集束を解くことが可能であることが好ましい。
【００１５】
かかる構成によれば、ケーブルの余長部は、引上げの際に、引上げ手段の支持部で支持させつつ、引上げ部でその幅方向の両側が支えられて集束された状態で保持手段の案内部に案内されて引上げ方向に引き上げることができる。そして、引き上げられたケーブルの中途部分は、引上げ部の支持部側の端部を載置部に載置することにより、所定の高さに保持することができるとともに、その引上げ部をケーブルの敷設方向に傾動させることにより幅方向両側からの支えが外れて集束が解ける。引き上げられたケーブルは、幅方向に分かち易くなる。目的のケーブルは、集束されたケーブルの中から掻き分けて発見されやすくなる。
【発明の効果】
【００１６】
以上の如く、本発明に係るケーブルの引上げ装置によれば、ピットに敷設されたケーブルを容易に引き上げることができるという優れた効果を奏する。
【図面の簡単な説明】
【００１７】
【図１】本発明の一実施形態に係る引上げ装置の引上げ手段であって、（ａ）は側面図を示し、（ｂ）は、正面図を示す。
【図２】同実施形態に係る引上げ装置の支持手段であって、（ａ）は斜視図を示し、（ｂ）は側面図を示し、（ｃ）は正面図を示す。
【図３】同実施形態に係る引上げ装置の保持手段であって、（ａ）はケーブルの幅方向の中心で切断した断面図を示し、（ｂ）は正面図を示す。
【図４】同実施形態に係る引上げ装置の保持手段の上面図であって、（ａ）は引上げ手段が収納位置にあるときの上面図を示し、（ｂ）は、引上げ手段が集束解除位置にあるときの上面図を示す。
【図５】同実施形態に係る引上げ装置を用いたケーブルの引き上げ工程を説明する図であって、（ａ）はケーブルを引上げる前の状態の側面図を示し、（ｂ）は、ケーブルを引き上げた後の状態の側面図を示す。
【図６】他の実施形態に係る引上げ装置の引上げ手段であって、（ａ）は支持部の軸中心で切断した断面図を示し、（ｂ）はケーブルを引上げる前の状態の側面図を示し、（ｃ）はケーブルを引き上げた状態の側面図を示す。
【発明を実施するための形態】
【００１８】
本発明の一実施形態に係るケーブルの引上げ装置について、図１〜図５を参照しつつ説明する。本実施形態に係るケーブルＣ，…の引上げ装置１は、上部が開口されたピットＰに収容されるケーブルＣ，…をピットＰの下面Ｐｕから引き上げる引上げ手段２（図１参照）と、ケーブルＣ，…の中途部をピットＰの下面Ｐｕから離間して支持する支持手段３（図２参照）と、引上げ手段２を引き上げた状態で保持可能な保持手段４（図３及び図４参照）と、を備える。
【００１９】
引上げ手段２は、図１に示すように、ケーブルＣ，…を支持する支持部２１と、該支持部２１に支持されるケーブルＣ，…の幅方向Ｙの両側に設けられ、ケーブルＣ，…を集束させたまま支持部２１をピットＰの下面Ｐｕから引き上げる引上げ部２２，２２と、該引上げ部２２，２２を引き上げるためにフックなどの把持具を連結する連結孔２３，２３と、を備える。
【００２０】
支持部２１は、ピットＰの幅方向Ｙの長さと略同一の長さを有する丸棒である。支持部２１は、ケーブルＣ，…に対して軸心（長手）方向が直交する向きに配置される。支持部２１は、その周面でケーブルＣ，…を支持する。
【００２１】
引上げ部２２，２２は、ピットＰの深さに相当する長さを有する丸棒である。引上げ部２２，２２は、支持部２１の端部に結合される基端部２４，２４と、支持部２１の長手方向に対して直交する向きに該基端部２４，２４から延設される延設部２５，２５と、を備える。
【００２２】
基端部２４，２４は、支持部２１の端部に円弧状をなして連続して結合される。基端部２４，２４は、延設部２５，２５を支持部２１の軸心を中心に傾動させるための支点となる。
【００２３】
延設部２５，２５は、支持部２１に載置されるケーブルＣ，…を幅方向Ｙから支持する支持周面２５ａ，２５ａと、保持手段４に摺接可能な摺接周面２５ｂ，２５ｂと、を備える。支持周面２５ａ，２５ａは、他方の延設部２５，２５と互いに対向する半周面である。摺接周面２５ｂ，２５ｂは、該支持周面２５ａ，２５ａと反対側の半周面である。
【００２４】
連結孔２３，２３は、基端部２４，２４と反対側の延設部２５，２５の端部を半径方向に貫通して形成された孔である。連結孔２３，２３は、フックなどの先端部を掛止可能な開口面積を有する。連結孔２３，２３は、延設部２５，２５のそれぞれに１箇所づつ設けられている。
【００２５】
支持手段３は、図２に示すように、ケーブルＣ，…の敷設方向（ピットＰの長手方向）Ｘに傾斜する傾斜面３１，３１と、ピットＰの下面Ｐｕに対向する下面３２と、該下面３２と直角な面でピットＰの側面Ｐｓ，Ｐｓに対向する側面３３，３３と、を備える。支持手段３は、２以上備えることが好ましく、本実施形態に係る支持手段３は、２つである例を説明する。
【００２６】
傾斜面３１，３１は、ケーブルＣ，…が折り曲げ可能な角度以内で下面３２の一端側から他端側にわたって緩やかに傾斜した円弧状の面である。傾斜面３１，３１は、断面形状が山形状の２つの面３１ａ，３１ｂから形成される。傾斜面３１ａ，３１ｂは、下面３２の敷設方向Ｘの略中間で最頂部３１ｃとなるように形成される。その最頂部３１ｃは、緩やかな曲面に形成されている。
【００２７】
傾斜面３１ａ，３１ｂは、ピットＰの下面Ｐｕに沿って敷設されたケーブルＣ，…を下面Ｐｕから離間する第１の傾斜面３１ａと、該第１の傾斜面３１ａを乗り越えてピットＰの下面Ｐｕ側に弛むケーブルＣ，…を支持可能に設けられる第２の傾斜面３１ｂと、を備える。第１の傾斜面３１ａは、第２の傾斜面３１ｂと最頂部３１ｃを境に対向する反対側の面である。第２の傾斜面３１ｂは、ケーブルＣ，…の敷設方向Ｘに隣り合う他の支持手段３の傾斜面３１と対向する面である。
【００２８】
下面３２は、支持手段３をピットＰに設置する際に、ピットＰの下面Ｐｕに対向する面である。下面３２は、支持手段３をピットＰの下面Ｐｕから容易に移動しないように、例えば、滑り止め構造を有していてもよく、また、下面Ｐｕに接着可能な接着部材を備えていてもよい。
【００２９】
側面３３，３３は、支持手段３をピットＰに設置する際に、ピットＰの側面Ｐｓ，Ｐｓに対向する面である。側面３３，３３は、ピットＰの側面Ｐｓ，Ｐｓに当接する。よって、支持手段３は、ピットＰの幅方向（ケーブルＣの径方向）Ｙにずれることなく、幅方向に位置決めされる。
【００３０】
保持手段４は、図３及び図４に示すように、引上げ手段２をピットＰ内で直立させた姿勢で収納する収納部４１と、ピットＰの下面ＰｕからケーブルＣ，…を引上げる方向（ピットＰの深さ（上下）方向）Ｚに引上げ手段２を案内する案内部４２と、該案内部４２に案内されて引き上げられる引上げ手段２をピットＰの下面Ｐｕから所定高さで保持する保持部４３，４３と、を備える。
【００３１】
収納部４１は、凹状に形成され、ピットＰの下面Ｐｕ側と対向する底板４４と、該底板４４の両端に該底板４４に対して直交する方向に延出する側板４５，４５と、引上げ手段２を底板４４及び側板４５，４５に位置決めされた状態で固定する固定溝４６（図３（ａ）及び図４参照）と、を備える。
【００３２】
底板４４は、側板４５，４５に沿う方向の中間位置を最頂部とし、その両側が緩やかに傾斜する台形状に形成される。よって、底板４４は、敷設方向Ｘに敷設されるケーブルＣ，…を支持部２１でその上面側に引き込む。底板４４は、引上げ部２２，２２でケーブルＣ，…の進路を妨げることのないようにして、その敷設の障害となりにくくすることを目的に設けられている。
【００３３】
側板４５，４５は、底板４４に沿う方向の中間位置を最頂部とし、その両側が緩やかに傾斜する台形状に形成される。よって、側板４５，４５は、敷設方向Ｘに敷設されるケーブルＣ，…を引上げ部２２，２２で幅方向Ｙ内側に引き込む。側板４５，４５は、引上げ部２２，２２でケーブルＣ，…の進路を妨げることのないようにして、その敷設の障害となりにくくすることを目的に設けられている。
【００３４】
固定溝４６は、断面形状が円弧状（半円状）に形成される。固定溝４６は、底板４４の最頂部に設けられる第１の固定溝４６ａと、側面４２，４２の最頂部に設けられる第２の固定溝４６ｂ，４６ｂと、を備える。
【００３５】
第１の固定溝４６ａは、幅方向Ｙの一方の側板４５から他方の側板４５まで形成される。第１の固定溝４６ａは、引上げ手段２の支持部２１が嵌め込まれる。第１の固定溝４６ａは、引上げ手段２のピットＰ内の敷設方向Ｘの据付位置を位置決めする。
【００３６】
第２の固定溝４６ｂ，４６ｂは、第１の固定溝４６ａの両端から各側板４５，４５の上端まで連続して深さ方向に形成される。第２の固定溝４６ｂ，４６ｂは、引上げ手段２の引上げ部２２，２２の摺接周面２５ｂ，２５ｂが嵌め込まれる。第２の固定溝４６ｂ，４６ｂは、引上げ手段２のピットＰ内の敷設方向Ｘの据付位置を位置決めする。
【００３７】
よって、固定溝４６（４６ａ，４６ｂ，４６ｂ）は、支持部２１がピットＰの下面Ｐｕ側に対向し、各引上げ部２２，２２がピットＰの側面Ｐｓ，Ｐｓ側にそれぞれ対向する直立姿勢で引上げ手段２を固定する。
【００３８】
案内部４２，４２は、引上げ手段２を引き上げる方向Ｚに位置規制する。案内部４２，４２は、側板４５，４５の引上げる方向Ｚに沿って形成される。案内部４２，４２は、引上げ部２２，２２を嵌め込み可能な溝である。本実施形態では、収納部４１の第２の固定溝４６ｂ，４６ｂも引き上げ方向Ｚに形成される、よって、本実施形態では、この第２の固定溝４６ｂ，４６ｂは、案内部４２，４２としても作用する。案内部４２（第２の固定溝４６ｂ，４６ｂ）は、引上げ手段２の引上げ部２２の摺接周面２５ｂ，２５ｂを摺接させながら、引上げ手段２を引上げ方向Ｚに上下方向に直線状に案内する。
【００３９】
保持部４３は、ピットＰから引上げ方向Ｚに引き上げた引上げ手段２を保持する。支持部２１の周面で支持されるケーブルＣ，…は、引上げ部２２，２２の支持周面２５ａ，２５ａでその幅方向Ｙの移動が規制されている。保持部４３は、引上げ部２２，２２がケーブルＣ，…の幅方向Ｙの移動を制限する第１の姿勢Ｐ１と、引上げ部２２，２２がケーブルＣ，…の幅方向Ｙの移動を許容する第２の姿勢Ｐ２と、のいずれかの姿勢で保持する。
【００４０】
第１の姿勢Ｐ１は、引上げ部２２，２２が直立した姿勢とする。この直立した姿勢とは、引上げ部２２，２２を引上げ部２２，２２の軸心方向をピットＰの下面Ｐｕに対して直交する方向にした姿勢とする。すなわち、第１の姿勢Ｐ１は、支持部２１の軸心を中心に引上げ部２２，２２の軸心方向が上方に向いた姿勢である。第１の姿勢Ｐ１は、引上げ部２２，２２の支持周面２５ａ，２５ａでケーブルＣ，…の幅方向Ｙの移動を制限して、ケーブルＣ，…の集束状態を維持することができる姿勢である。なお、この集束状態は、引上げ手段２と接する部分で確保され、引上げ手段２より敷設方向Ｘに離れた部分では、作業者により集束状態を解くことが可能な状態にある。
【００４１】
第２の姿勢Ｐ２は、引上げ部２２，２２が傾動されて寝かした姿勢とする。この寝かした姿勢とは、引上げ部２２，２２を引上げ部２２，２２の軸心方向をピットＰの下面Ｐｕに対して水平な方向にした姿勢とする。すなわち、第２の姿勢Ｐ２は、支持部２１の軸心を中心に引上げ部２２，２２が側方に向いた姿勢である。第２の姿勢Ｐ２は、引上げ部２２，２２の支持周面２５ａ，２５ａがケーブルＣ，…の幅方向Ｙに位置しておらず、その幅方向Ｙの移動を許容して、ケーブルＣ，…の集束状態を解くことができる姿勢である。
【００４２】
保持部４３は、引上げ手段２を所定の高さで引上げ部２２の支持部２１側の基端部２４，２４を載置可能な載置部４７，４７と、引上げ手段２，２を所定の高さで引上げ部２２，２２を寝かして保持可能な保持面４８，４８と、を備える。保持部４３は、引上げ部２２，２２の基端部２４，２４を載置部４７，４７に載置させ、引上げ部２２，２２の基端部２４，２４を支点にケーブルＣ，…の敷設方向Ｘに傾動させることによって、ケーブルＣ，…の集束を解除するために設けられる。
【００４３】
載置部４７，４７は、引上げ部２２，２２が引き上げられた先にある側板４５，４５の上面に設けている。載置部４７，４７は、引上げ部２２，２２の基端部２４，２４の外周面を摺接可能な円弧状の面を有している。よって、載置部４７，４７は、引上げ部２２，２２の基端部２４，２４を支持部２１の軸心を中心に回動しやすく形成されている。
【００４４】
保持面４８，４８は、載置部４７，４７の下側の縁から敷設方向Ｘに連続して形成される平らな面である。保持面４８，４８は、引上げ部２２，２２の長さ以上に連続して形成される。本実施形態では、保持面４８，４８は、引上げる方向に対して直交する角度に形成される。保持面４８，４８は、引上げ手段２を寝かした状態で保持させることができるとともに、その状態を維持させることもできる。
【００４５】
次に、本実施形態に係るケーブルの引上げ装置を用いたケーブルの引上げについて、図５を参照しつつ説明する。
【００４６】
まず、図５（ａ）に示すように、ピットＰにケーブルＣ，…を敷設する前に、予め引上げ装置１を据え付ける。すなわち、保持手段４は、図１（ｂ）に示すように、側板４５，４５がピットＰの側面Ｐｓ，Ｐｓに対向するように配置され、底板４４が下面Ｐｕに対向するように配置される。引上げ手段２は、図３（ａ）に示す保持手段４の固定溝４６に嵌め込まれて保持手段４に収納される。支持手段３，３は、ケーブルＣ，…の敷設方向Ｘの保持手段４の両側に所定距離離間して配置される。
【００４７】
引上げ装置１がピットＰに据え付けられた後、ケーブルＣ，…をピットＰに敷設される。敷設されるケーブルＣ，…は、支持手段３，３の第１の傾斜面３１ａ，３１ａに沿わせることによってピットＰの下面Ｐｕから離間する。このとき、第１の傾斜面３１ａ，３１ａとピットＰの下面Ｐｕとの間の段差が小さく、かつ、ケーブルＣ，…を緩やかに最頂部３１ｃまで沿わせることができるため、ケーブルＣ，…は、被覆に過度の負担がかかることはない。
【００４８】
ケーブルＣ，…は、最頂部３１ｃを超えて第２の傾斜面３１ｂ，３１ｂで自身の自重により下面Ｐｕ側に弛み、第２の傾斜面３１ｂ，３１ｂに沿って敷設される。ケーブルＣ，…は、更に、支持手段３，３の間に配置される保持手段４の底板４４に沿って施設される。このとき、引上げ手段２は、保持手段４の固定溝４６（４６ａ，４６ｂ，４６ｂ）に嵌め込まれており、底板４４の上面に敷設されるケーブルＣ，…の下側に支持部２１が位置するようにピットＰ内に収納されている。このようにして、ケーブルＣ，…は、ピットＰ内を高さ方向に蛇行しつつ敷設される。なお、ピットＰに多数のケーブルＣ，…を敷設する場合、従来の方法と同様に、ケーブルＣ，…は、ピットＰの幅方向Ｙに並列に敷設され、幅方向Ｙにスペースが不足して敷設できない場合は、既に敷設されたケーブルＣ，…の上に積み重ねて敷設される。
【００４９】
このようにして、ピットＰに多数敷設されたケーブルＣ，…の中から特定のケーブルＣ，…を引き出す場合、図５（ｂ）に示すように、保持手段４の固定溝４６に嵌め込まれている引上げ手段２を引き上げてケーブルＣ，…を引き上げる。すなわち、ケーブルＣ，…は、連結孔２３，２３にチェーンブロックなどのフックを掛けて、吊り上げることにより、引上げ手段２を引き上げ方向Ｚに引き上げる。
【００５０】
このとき、引上げ手段２は、引上げ部２２，２２の摺接周面２５ｂ，２５ｂ（図３（ｂ）参照）を保持手段４の第２の固定溝４６ｂ，４６ｂに摺接することにより引き上げ方向Ｚに案内されるため、引き上げ方向Ｚから逸れることなく容易に引き上げることができる。また、ケーブルＣ，…は、支持手段３，３の間で弛ませた分だけ余長部を有し、ケーブルＣ，…に張力を掛けることなく、引上げ手段２の支持部２１に支持されて引き上げられる。また、引上げ部２２，２２は、ピットＰを引き上げる際に、支持部２１に支持されるケーブルＣ，…がピットＰの側面Ｐｓにその周面が摺ることで、被覆を損傷させないようにケーブルＣ，…を保護する。
【００５１】
引き上げられた引上げ手段２は、その引上げ部２２，２２の基端部２４，２４を保持手段４の載置部４７，４７に載置する。ケーブルＣ，…は、引上げ部２２，２２によって幅方向Ｙの移動が規制され、幅方向Ｙにばらけることなく、集束された状態を維持する。
【００５２】
更に、基端部２４，２４を支点にして（支持部２１を軸心を回転中心にして）、引上げ部２２，２２を傾動して寝かし、保持面４８，４８に保持する。支持部２１に支持されていたケーブルＣ，…は、引上げ部２２，２２を寝かすことにより、幅方向Ｙの移動が許容され、ケーブルＣ，…の集束状態を解くことができるようになる。
【００５３】
よって、目的のケーブルＣ，…がピットＰの下面Ｐｕ側にあったとしても、ピットＰ内に敷設されたケーブルＣ，…のすべてを引き上げることができるとともに、幅方向Ｙにばらすことができるために、容易に目的のケーブルＣ，…を見つけることができ、引き出すことができる。なお、引上げ手段２と支持手段３との間でケーブルＣ，…をばらして、目的のケーブルＣ，…が発見できる場合は、引上げ部２２，２２を傾動させずに、載置部４５に引上げ手段２を載置させて立てたままであってもよい。残りのケーブルＣ，…を再びピットＰの内部に敷設する場合は、上記の手順を逆に行えばよい。
【００５４】
このようにして、ケーブルＣ，…は、支持手段３に支持されながらピットＰ内に敷設される。支持手段３で支持されるケーブルＣ，…の被支持部は、ピットＰの下面Ｐｕに敷き詰められ、又は、他のケーブルＣ，…に積み重ねられた（ピットＰの下面Ｐｕに略相当する）高さから、それぞれ上方に離間して敷設させる方向Ｘの２箇所以上で支持される。このケーブルＣ，…の被支持部の両側には、そのケーブルＣの自重により被支持部を起点にピットＰの下面Ｐｕ側に弛んだ状態で敷設されるケーブルＣ，…の余長部が形成される。すなわち、ピットＰに敷設されるケーブルＣ，…には、余長ができる。よって、この余長ができたケーブルＣ，…の余長部を引上げ手段２で引き上げることにより、ピットＰに敷設されたケーブルＣ，…に張力をかけることなく、容易に引き上げることができる。
【００５５】
また、ケーブルＣ，…の余長部を引上げ手段２で引き上げる際、引上げ手段２は、案内部４２により引上げ方向Ｚから逸れることなく容易に引き上げられる。引上げ手段２は、保持部４３で所定の高さに保持される。このようにして、引上げ手段２は、引き上げたケーブルＣ，…を容易に所定の高さに保持させることができる。
【００５６】
また、ケーブルＣ，…の余長部を引上げ手段２で引き上げる際、引上げ手段２は、案内部４２により引上げ方向Ｚから逸れることなく容易に引き上げられる。引上げ手段２は、保持部４３で所定の高さに保持される。このようにして、引上げ手段２は、引き上げたケーブルＣ，…を容易に所定の高さに保持させることができる。
【００５７】
また、引上げ手段２は、ケーブルＣ，…の余長部を支持部２１で支持させつつ、引上げ部２２でその幅方向Ｙの両側を支え、集束させた状態で引き上げる。引上げ手段２は、ピットＰからケーブルＣ，…を引き上げる際、保持手段４の案内部４２に案内されて引上げ方向Ｚに引き上げられる。引上げ手段２によって引き上げられたケーブルＣ，…の中途部分は、引上げ部２２の、支持部２１側の端部を載置部４７に載置することにより、所定の高さに保持することができるとともに、その引上げ部２２をケーブルＣ，…の敷設方向Ｘに傾動させることにより幅方向Ｙ両側からの支えが外れて集束が解ける。引き上げられたケーブルＣ，…は、幅方向Ｙに分かち易くなる。目的のケーブルＣ，…は、集束されたケーブルＣ，…の中から掻き分けて発見されやすくなる。
【００５８】
なお、本発明は、上記実施形態に限定されず、本発明の要旨を逸脱しない範囲で様々な変更が可能である。
【００５９】
上記実施形態に係るケーブルＣ，…の引上げ装置１は、ピットＰ内に敷設されたケーブルＣ，…を撤去するのに用いる例を説明したが、これに限定されるものではない。例えば、ケーブルＣ，…の引上げ装置１は、ピットＰに敷設されたケーブルＣ，…を点検（外観検査等メンテナンス）するために、ピットＰから引き上げるのに用いてもよい。
【００６０】
上記実施形態に係るケーブルＣ，…の引上げ装置１は、引上げ手段２と支持手段３と保持手段４とを備える例を説明したが、これに限定されるものではない。例えば、引上げ装置は、引上げ手段２と支持手段３との組み合わせによるものであってもよい。また、引上げ装置は、引上げ手段２と保持手段４との組み合わせによるものであってもよい。
【００６１】
上記実施形態に係るケーブルＣ，…の引上げ装置１は、支持手段３が２つ備える例を説明したがこれに限定されるものではない。例えば、支持手段３は、１つ備えるものであってもよいし、２つ以上備えるものであってもよい。支持手段３が１つとする場合、図６（ｂ）に示すように、引上げ手段２は、支持手段３のケーブルＣ，…の敷設方向Ｘの一方（面）側に配置される。ケーブルＣ，…は、ケーブルＣ，…を引き上げる際、支持部２１の外周面上の一方から他方に向かって滑りながら引き上げ方向Ｚに引き上げられる。よって、引上げ手段１０２は、その支持部１２１の外周面が回動自在である構成とすることが好ましい。具体的には、支持部１２１は、一方の引上げ部２２の基端部２４と他方の引上げ部２２の基端部２４とに直交して固定される軸部１２１ａと、該軸部１２１ａを回動自在に挿入可能な貫通孔１２１ｂを有する円筒形状のローラ１２１ｃと、を備える。よって、支持部１２１は、図６（ｂ）に示す保持手段４に収納されている位置から図６（ｃ）に示す保持手段４の案内部４２，４２に案内されて引き上げ方向Ｚに引き上げたときにケーブルＣ，…の外周面（被覆）に対して摩擦を与えることなく、支持することができる。
【００６２】
上記実施形態に係るケーブルＣ，…の引上げ装置１は、引上げ部２２の断面形状が円形である例を説明したが、これに限定されるものではない。例えば、引上げ部は、断面形状を楕円形にしてもよいし、板状にしてもよい。このように構成することにより、ピットＰ内に敷設するケーブルＣ，…は、引上げ手段がピットＰの幅方向Ｙに占有する範囲を減らすことができ、より多くのケーブルＣ，…を幅方向Ｙに並列させることができる。特に、引上げ部の断面形状を楕円形とすると、ケーブルＣ，…が曲面に接触するため、被覆を傷つけることもない。
【００６３】
上記実施形態に係るケーブルＣ，…の引上げ装置１は、引上げ部２２を支持部２１の両端部に１箇所づつ、２箇所に設ける例を説明したが、これに限定されるものではない。例えば、引上げ部は、支持部２１に対して１箇所設けられてもよい。具体的には、引上げ部は、支持部２１の略中間の軸心方向に対して直交する方向に配置されてもよい。すなわち、引上げ部は、逆Ｔの字状に形成されていてもよい。このように構成された引上げ手段は、引き上げると、傾動させることなく、幅方向ＹにケーブルＣ，…をばらすことができる。また、引上げ部が支持部２１に対して１箇所にしか設けられていないため、ケーブルＣ，…を並列に配置できる本数を増加させることができる。また、引上げ手段は、支持部２１にケーブルＣ，…を支持可能な幅方向Ｙのスペースを２分されることから、例えば、制御用や電源用、通信用などの用途別に分けて支持することができ、目的のケーブルを識別しやすくすることができる。
【００６４】
上記実施形態に係るケーブルＣ，…の引上げ装置１は、支持面３１，３１が２面備える例を説明したが、これに限定されるものではない。例えば、支持面は、第１の支持面３１ａのみを備えていてもよい。すなわち、支持手段は、第１の支持面を傾斜面とする縦断面形状が直角三角形状であってもよい。このような構成によっても、ケーブルＣ，…は、過度に曲折しないように第１の支持面を伝わせてピットＰの下面Ｐｕから離間し、自重により最頂部から下面Ｐｕ側に垂れ下がり、ピットＰの外に引き上げるための余長を形成することができる。また、支持手段は、第１の支持面も有しない縦断面形状が四角形状（図（ｂ）及び（ｃ）に符号１０３で示す支持手段）であってもよいし、丸形状、楕円形状などであってもよい。このような構成によっても、ケーブルＣ，…は、支持手段の最頂部で支持されて、ピットＰの下面Ｐｕから離間し、自重により最頂部から下面Ｐｕ側に垂れ下がり、余長を形成することができる。また、支持部材は、幅方向Ｙと略同一の幅を有する門形であってもよいし、ピットＰの一方の側面Ｐｓと他方の側面Ｐｓの所定の高さに架け渡されて固定可能な棒状であってもよい。すなわち、支持手段は、ピットＰ（の下面Ｐｕ）内に敷設するケーブルＣ，…をその敷設高さ（下面Ｐｕ）から引き上げ方向Ｚに離間させることにより、ピットＰ内に敷設されたケーブルＣ，…に余長部を形成させることができれば、どのような構成であってもよい。
【００６５】
上記実施形態に係るケーブルＣ，…の引上げ装置１は、支持部２１が一体成形された丸棒である例を説明したが、これに限定されるものではない。例えば、支持部は、軸心方向に伸縮可能な構造を有していてもよい。このように構成されることにより、支持部は、ピットＰの幅方向Ｙの長さに合わせて適宜長さ調整が可能となり、ピットＰの幅方向Ｘの長さに合わせて設置することができる。
【符号の説明】
【００６６】
１…引上げ装置、２…引上げ手段、２１…支持部、２２…引上げ部、２３…連結孔、２４…基端部、２５…延設部、２５ａ…支持周面、２５ｂ…摺接周面、３…支持手段、３１…傾斜面、３１ａ…第１の傾斜面、３１ｂ…第２の傾斜面、３１ｃ…最頂部、３２…設置面、３３…側面、４…保持手段、４１…収納部、４２…案内部、４３…保持部、４４…底板、４５…側板、４６…固定溝、４６ａ…第１の固定溝、４６ｂ…第２の固定溝、４７…載置部、４８…保持面、１０２…引上げ手段、１２１…支持部、１２１ａ…軸部、１２１ｂ…貫通孔、１２１ｃ…ローラ、１０３…支持手段、Ｃ…ケーブル、Ｐ…ピット、Ｐｕ…ピットの底面、Ｐｓ…ピットの側面、Ｆ…床面、Ｘ…ケーブルを敷設する方向（敷設方向）、Ｙ…ケーブルの幅方向、Ｚ…ケーブルの引上げ方向
【図１】
2012239328.tif 000003
【図２】
2012239328.tif 000004
【図３】
2012239328.tif 000005
【図４】
2012239328.tif 000006
【図５】
2012239328.tif 000007
【図６】
2012239328.tif 000008